(57)【特許請求の範囲】
【請求項１】
表面に電線挿入孔が形成される器体と、
前記電線挿入孔を通して前記器体に導入される電線に接触する端子板、及び前記端子板との間で前記電線を狭持すると共に当該電線の抜け止めを行う鎖錠ばねを有する端子装置とを備え、
前記器体は、前記端子板または前記鎖錠ばねを前記器体の外部に露出させる検電孔が形成されており、
前記端子装置は、前記鎖錠ばねを押し動かす押動部と、当該押動部から延設されて前記器体における前記検電孔から外部に露出する操作部とを具備する解除レバーを備え、
前記操作部が操作されることで、前記押動部が前記鎖錠ばねを押し動かし前記電線に対する抜け止めが解除され、
前記解除レバーの少なくとも一部が、前記操作部の移動に伴って前記検電孔内を移動するものであり、
前記操作部は、前記検電孔内に設定された可動範囲で移動自在に設けられており、
前記端子装置は、前記検電孔に対向する位置において、前記端子板と前記鎖錠ばねとが前記検電孔の貫通方向で重ねて配置されていることを特徴とする配線器具。
【請求項２】
さらに、前記解除レバーは、支持部と当該支持部及び前記操作部を連結する連結部とを有し、前記支持部を支点として回動自在に前記器体に支持されており、
前記押動部は、前記連結部に突設されており、
前記解除レバーが回動すると前記電線に対する抜け止めが解除されるように前記鎖錠ばねを押し動かすことを特徴とする請求項１に記載の配線器具。
【請求項３】
前記端子装置は、前記鎖錠ばねが前記検電孔から露出するように配置されることを特徴とする請求項１または請求項２に記載の配線器具。
【請求項４】
前記端子装置は、前記端子板が前記検電孔から露出するように配設されることを特徴とする請求項１乃至３いずれか記載の配線器具。
【発明の詳細な説明】
【技術分野】
【０００１】
本発明は、配線器具に関するものである。
【背景技術】
【０００２】
従来、ねじで電線を締め付けるピラー端子を備えた配線器具が提供されている。
【０００３】
また、ピラー端子を備えた配線器具では、電線の接続作業に手間がかかることから、配線器具への電線の結線を容易にしたり、接続の均一化を行って接続信頼性を確保可能な端子装置（所謂ねじなし端子装置）が（例えば特許文献１参照）提供されている。ここで、上記ねじなし端子装置は、ねじに拠らずに結線が可能となっている。
【０００４】
そして、上記ねじなし端子装置は、所謂速結端子装置とも呼ばれ、配線器具が備える器体内に収納され、器体に形成される電線挿通孔を通して器体に導入される電線に接続する。ここで、ねじなし端子装置は、器体内に導入された電線に接触する端子板と、当該端子板との間で電線を狭持すると共に抜け方向への電線の移動を鎖錠する鎖錠ばねとを備えている。
【先行技術文献】
【特許文献】
【０００５】
【特許文献１】特開２０００−１５６２５９号公報
【発明の概要】
【発明が解決しようとする課題】
【０００６】
ところで、上記ピラー端子を備えた配線器具への電線の接続状態を確認する場合、ピラー端子は外部に露出しているので検電作業を容易に行えるが、ねじなし端子を有する配線器具では、連結端子は内部に収納されているため検電作業が困難であった。
【０００７】
また、上記ねじなし端子装置を備えた配線器具の内、例えば、前面にプラグ挿入孔を有したコンセント装置では、プラグ挿入孔に検電ドライバ等の検査器具を挿し込むことで検電作業が可能となっていた。しかしながら、プラグ挿入孔が使用されていない時に各プラグ挿入孔をそれぞれ閉塞する開閉扉を備えたコンセント装置があり、当該コンセント装置では、開閉扉を開いて検電ドライバを挿し込まねばならず、検電作業が行い難かった。
【０００８】
本発明は、上記事由に鑑みてなされたものであり、その目的は、電線の接続作業が容易に行えると共に、容易に検電を行うことが可能な配線器具を提供することにある。
【課題を解決するための手段】
【０００９】
上記課題を解決するために本発明の配線器具は、表面に電線挿入孔が形成される器体と、前記電線挿入孔を通して前記器体に導入される電線に接触する端子板、及び前記端子板との間で前記電線を狭持すると共に当該電線の抜け止めを行う鎖錠ばねを有する端子装置とを備え、前記器体は、前記端子板または前記鎖錠ばねを前記器体の外部に露出させる検電孔が形成されており、前記端子装置は、前記鎖錠ばねを押し動かす押動部と、当該押動部から延設されて前記器体における前記検電孔から外部に露出する操作部とを具備する解除レバーを備え、前記操作部が操作されることで、前記押動部が前記鎖錠ばねを押し動かし前記電線に対する抜け止めが解除され、前記解除レバーの少なくとも一部が、前記操作部の移動に伴って前記検電孔内を移動するものであり、前記操作部は、前記検電孔内に設定された可動範囲で移動自在に設けられており、前記端子装置は、前記検電孔に対向する位置において、前記端子板と前記鎖錠ばねとが前記検電孔の貫通方向で重ねて配置されていることを特徴とする。
【００１０】
この配線器具において、さらに、前記解除レバーは、支持部と当該支持部及び前記操作部を連結する連結部とを有し、前記支持部を支点として回動自在に前記器体に支持されており、前記押動部は、前記連結部に突設されており、前記解除レバーが回動すると前記電線に対する抜け止めが解除されるように前記鎖錠ばねを押し動かすことが好ましい。
【００１１】
この配線器具において、前記端子装置は、前記鎖錠ばねが前記検電孔から露出するように配置されることが好ましい。
【００１２】
この配線器具において、前記端子装置は、前記端子板が前記検電孔から露出するように配設されることが好ましい。
【発明の効果】
【００１３】
本発明では、容易に検電を行うことが可能な配線器具を提供することができるという効果がある。
【図面の簡単な説明】
【００１４】
【図１】本発明の実施形態１における配線器具の斜視図を示す。
【図２】同上における配線器具を施工面に設置した際の正面図を示す。
【図３】同上における配線器具の上面図を示す。
【図４】同上における配線器具の要部断面図を示す。
【図５】同上における配線器具が備える端子装置の分解斜視図を示す。
【図６】同上における配線器具が備える端子装置の断面図を示す。
【図７】同上における配線器具に電線を接続した際の要部断面図を示す。
【図８】本発明の実施形態２における配線器具の断面図を示す。
【図９】同上における配線器具を施工面に設置した際の正面図を示す。
【図１０】同上における配線器具のボディの正面斜視図を示す。
【図１１】同上における配線器具の斜視図を示す。
【図１２】同上における配線器具が備える端子板の斜視図を示す。
【図１３】同上における配線器具の断面図を示す。
【発明を実施するための形態】
【００１５】
以下、本発明の実施の形態を図面に基づいて説明する。
【００１６】
（実施形態１）
本実施形態の配線器具について、図１〜７を用いて説明を行う。なお、以下、図１における上下左右を基準とし、上下左右方向と直交する方向を前後方向として説明を行う。
【００１７】
本実施形態の配線器具は、前面が開口した中空略矩形箱型のボディ１０７及び当該ボディ１０７の前面に覆設される後面が開口した中空略矩形箱型のカバー１０８とからなる器体１０６と、端子装置４０とを備える。そして、本実施形態の配線器具は、図２に示すように、施工面５０に形成される図示しない埋め込み孔に器体１０６の前面を露出させた状態で埋め込み設置される。ここで、前記埋め込み孔は、器体１０６の前面を露出させる貫通孔５１ａを有したカバー５１によって閉塞される。なお、本実施形態の配線器具は、施工面５０に埋め込み設置されるが、設置の形態はこれに限定されず、施工面５０から一部または全部が露出して設けられていてもよい。
【００１８】
ボディ１０７は、左右側面に係合突部１０７ａが各々形成され、当該係合突部１０７ａに、カバー１０８の左右両側面に形成される係合部１０８ａが係合することで、ボディ１０７に対してカバー１０８が固定される。
【００１９】
また、図４に示すように、ボディ１０７内には、隔壁１０７ｄが形成されて当該隔壁１０７ｄによって隔てられて上下並設する収納室１０４が形成されている。更に、ボディ１０７の後面には、収納室１０４に連通する電線挿入孔１０７ｂが形成され、加えて、図３に示すように、ボディ１０７の上面及び下面には、収納室１０４に連通する検電孔１０７ｃが左右にそれぞれ並設されている。
【００２０】
また、カバー１０８の前面には、プラグ挿入孔１０８ｂが形成され、更に、カバー１０８内には、内側からプラグ挿入孔１０８ｂを塞ぐ開閉扉１０９が設けられている。なお、開閉扉１０９は、プラグ挿入孔１０８ｂにコセントプラグが挿し込まれることで開き、コンセントプラグが引き抜かれることで閉じるものとなっている。つまり、カバー１０８の前面が機能面Ｓとして働く。なお、本実施形態では、配線器具の機能面（カバー１０８の前面）にプラグ挿入孔１０８ｂが形成されたコンセント装置を示しているが、配線器具の種類はこれに限定されず、例えば機能面にスイッチを有したスイッチ装置や人感センサ等であってもよい。
【００２１】
端子装置４０は、端子板２４、及び鎖錠ばね２５、及び解除レバー２６から構成され、所謂ねじなし端子装置または速結端子装置と呼ばれる。
【００２２】
端子板２４は、図５に示すように、導電性材料から、上下方向に並設した帯板状の一対の基片２４１、２４２と、一対の基片２４１、２４２の略中央同士を連結する連結片２４３とから略Ｈ字状に形成された電線接続部２４０と、プラグ接続部２７０とからなる。
【００２３】
基片２４１における上端の左右両端側からは、後方へ向けて接触片２４１ａがそれぞれ延設され、基片２４１における下端の左右両端側からは、後方へ向けて囲み片２４１ｂが各々延設されている。また、基片２４２における下端の左右両端側からは、後方へ向けて延設片２４２ａが延設されている。更に、連結片２４３の略中央には、かしめ孔２４３ａが形成されている。
【００２４】
また、接触片２４１ａの基端側には、当該接触片２４１ａの左右側縁から下方へ向けてそれぞれ略三角形状の囲み片２４１ｃが形成されている。
【００２５】
プラグ接続部２７０は、略中央に貫通孔２７１ａが形成されたベース板２７１と、ベース板２７１の下端から前方へ延設される平型栓刃用の刃受け部２１５と、ベース板２７１の左右両端から前方へ向けて各々延設される丸型栓刃用の刃受け部２１６とを備える。
【００２６】
そして、プラグ接続部２７０は、かしめ部材２７２が貫通孔２７１ａを挿通した後に電線接続部２４０のかしめ孔２４３ａにかしめられることで電線接続部２４０と一体に設けられる。
【００２７】
鎖錠ばね２５は、弾性を有する導電性の板材（例えば、金属板）を折曲することによって略Ｃ字形状に形成されている。そして、鎖錠ばね２５は、電線３０が挿入される空間を挟んで接触片２４１ａと対向する中央片２５１と、中央片２５１の後端から上方へ延設される鎖錠片２５２と、中央片２５１の前端から上方へ向けて延設される略Ｌ字状の当接片２５３とから構成される。
【００２８】
鎖錠片２５２は、上方へ向かうに従って前方に傾斜し、先端が接触片２４１ａに当接する。また、当接片２５３は、略中央にＺ曲げ（段部２５３ｃ）が施されて中央よりも上側が基片２４１の前方側に回り込んで形成される基片２５３ａと、基片２５３ａの上端が後方へ向けて折曲されて接触片２４１ａの上面に重なる折曲片２５３ｂとから構成される。なお、本実施形態では、鎖錠ばね２５の折曲片２５３ｂが接触片２４１ａの上面に重なっているが実施の形態はこれに限定されず、折曲片２５３ｂが、少なくとも検電孔１０７ｃから外部に露出して設けられていればよい。つまり、端子板２４の一部と鎖錠ばね２５の折曲片２５３ｂとの両方が、検電孔１０７ｃから外部に露出して設けられていてもよい。
【００２９】
そして、折曲片２５３ｂは、その下面が接触片２４１ａの上面に当接し、更に、折曲片２５３ｂの上面が、ボディ１０７の検電孔１０７ｃを介して外部に露出する（図３参照）。
【００３０】
そして、中央片２５１と鎖錠片２５２との連結部分が半円弧状に湾曲しており、鎖錠片２５２に前向きの力が加わると当該湾曲部分が縮径することで鎖錠片２５２が撓む（変位する）ことになる。また当接片２５３は、端子板２４における連結片２４３の左右両隣に設けられた切欠溝２４ａを前方から後方へ通過して基片２４１の後方側へ回り込んでいる。そして、ボディ１０７の収納室１０４内に収納された状態においては、段部２５３ｃが端子板２４切欠溝２４ａに挿通するため、当接片２５３の段部２５３ｃａより左側の部分が端子板２４の基片２４２によって下方から支持される。
【００３１】
上述のように構成される端子板２４と鎖錠ばね２５は、図４に示すようにボディ１０７の収納室１０４内に収納される。そして、図７に示すように、電線挿入孔１０７ｂを通して外部から収納室１０４内に電線３０が挿入されると、電線３０の先端で押された鎖錠片２５２が接触片２４１ａから離れる向き（下向き）に撓み、鎖錠片２５２が撓むにつれて電線３０が更に挿し込まれる。そして、電線３０が所定の位置まで挿入されると、鎖錠片２５２の先端が電線３０に当接して反挿入向き（後ろ向き）に抜け止めされる。更に、鎖錠ばね２５の復元力（ばね力）により鎖錠片２５２が電線３０を接触片２４１ａの接触面（下面）に弾接させて電線３０と接触片２４１ａを接触導通させることが出来る。
【００３２】
ここで、本実施形態の端子装置４０では、電線３０の接続時において、電線３０が鎖錠片２５２に当たると、当接片２５３を支点として鎖錠片２５２が接触片２４１ａから離れる向き（図７における時計回り）に鎖錠ばね２５が回転する。そのため、電線３０の挿入時に鎖錠片２５２が電線３０側に巻き込まれることがなく、電線３０と端子板２４との接触信頼性を向上することができる。
【００３３】
また、一対の囲み片２４１ｃが接触片２４１ａに設けられていることにより、電線３０が単線であれば左右方向における電線３０の移動範囲を囲み片２４１ｃで規制することができる。さらに、電線３０が撚り線であれば素線のばらける範囲を囲み片２４１ｃで規制することができるので、電線３０と端子板２４との接触信頼性がさらに向上するという利点がある。しかも本実施形態では、囲み片２４１ｃの先端部分が、囲み片２４１ｂ側へ突出する形状に形成しているため、電線３０の移動範囲やばらける範囲をより確実に規制することができる。さらに、端子板２４に囲み片２４１ｂが設けられているため、接触片２４１ａから離れる向きの電線３０の移動を規制することができる。
【００３４】
また本実施形態の端子装置４０では、端子板２４の接触片２４１ａが電線３０との当接方向（上下方向）において可撓性を有している。そのため、電線挿入孔１０７ｂに対して電線３０が傾いた場合においても接触片２４１ａが電線３０の動きに追従して常に安定した接触状態を確保することができる。さらに、撚り線からなる電線３０が、ばらけている場合や径の小さい（細い）電線３０であっても接触片２４１ａと鎖錠片２５２とで電線３０を弾性挟持することにより、端子板２４と鎖錠ばね２５との接触状態を安定させることができる。尚、接触片２４１ａが撓む範囲はボディ１０７における収納室１０４の内壁によって規制されているので、電線３０が傾いたりした場合であっても接触片２４１ａの塑性変形が防止できるものである。
【００３５】
次に解除レバー２６について説明する。解除レバー２６は合成樹脂成型品からなり、半円板状の支持部２６１と、矩形平板状の操作部２６２と、支持部２６１及び操作部２６２を連結する略三角形板状の連結部２６３とを有して全体が略コ字形に形成されている。
【００３６】
また、一対の連結部２６３にはそれぞれ押動部２６４が突設されている。押動部２６４は扁平な略三角柱状に形成され、後述するように鎖錠片２５２と対向する側の斜面で鎖錠片２５２に接離自在に当接するとともに、当該斜面と反対側の角部で接触片２４１ａに接離自在に当接する。また、解除レバー２６は、その操作部２６２が器体１０６における検電孔１０７ｃから外部に露出し、当該検電孔１０７ｃ内に移動自在に設けられる。ここで、操作部２６２の可動範囲は、検電孔１０７ｃ内に設定される。そして、解除レバー２６は、一対の連結部２６３間に接触片２４１ａと鎖錠ばね２５が配置されるようにしてボディ１０７の収納室１０４内に収納される。ここで、収納室１０４内には半円弧状の摺動面を有した軸受け台１０５が設けられており（図７参照）、収納室１０４内に収納された解除レバー２６の支持部２６１が軸受け台１０５に載置されることにより、支持部２６１を支点として解除レバー２６が回動自在にボディ１０７に支持される。
【００３７】
而して、端子装置４０に接続された電線３０を取り外すには、図７に示すように、検電孔１０７ｃを通して器体１０６の上面側に露出している操作部２６２を指で押し上げるように操作すればよい。すなわち、操作部２６２を検電孔１０７ｃ内で上方へ押し上げるように操作すれば、支持部２６１を支点にして解除レバー２６が時計回りに回動し、初めに押動部２６４の上側の角部がそれぞれ接触片２４１ａの先端部を電線３０から離れる向き（上向き）に変位させる。解除レバー２６が時計回りにさらに回動すると、今度は押動部２６４が鎖錠片２５２を下方へ押圧することにより、電線３０に当接している鎖錠片２５２を電線３０から離す向きに変位させて電線３０の取り外しが可能となる。
【００３８】
上記構成からなる本実施形態の配線器具では、検電孔１０７ｃを介して、端子装置（鎖錠ばね２５の折曲片２５３ｂ）４０の一部が、ボディ１０７の上面より外部に露出している。ここで、上述の通り、端子板２４及び鎖錠ばね２５は、共に導電性材料から形成されていることから、検電孔１０７ｃより検電ドライバを挿し込んで検電ドライバを当接片２５３に接触させることで、鎖錠ばね２５を介して端子板２４に対する検電を行うことができる。
【００３９】
従って、本実施形態の配線器具では、電線の接続作業を容易に行うことができると共に、容易に検電を行うことができる。
【００４０】
また、検電孔１０７ｃが、解除レバー２６における連結部２６３の一部が移動するスペースとして兼用されることから、前記スペースを別途設ける必要がなくなり、配線器具の構造を簡略化することができる。
【００４１】
また、鎖錠ばね２５の折曲片２５３ｂ及び端子板２４の接触片２４１ａが、検電孔１０７ｃの貫通方向（上下方向）に重ねて配置されていることから、速結端子装置において検電ドライバが接触する箇所の強度を高めることができる。
【００４２】
また、鎖錠ばね２５の折曲片２５３ｂが、端子板２４の接触片２４１ａよりも検電孔１０７ｃ側に配置されていることから、検電ドライバが、端子板２４の接触片２４１ａに直接触れることがなく、端子板２４が傷つくことを防止することができる。
【００４３】
（実施形態２）
以下、図面を参照して本発明に係る配線器具の実施形態を図８〜１３を用いて詳細に説明する。この配線器具は、図８に示すように、器体１０と当該器体１０内に収納される端子装置２０とから構成さる。そして、本実施形態の配線器具は、図９に示すように、施工面５０に形成される図示しない埋め込み孔に器体１０の前面を露出させた状態で埋め込み設置される。ここで、前記埋め込み孔は、器体１０の前面を露出させる貫通孔５１ａを有したカバー５１によって閉塞される。なお、本実施形態の配線器具は、施工面５０に埋め込み設置されるが、設置の形態はこれに限定されず、施工面５０から一部または全部が露出して設けられていてもよい。以下の説明では図８における上下左右を基準とし、上下左右方向と直交する方向を前後方向として説明を行う。
【００４４】
器体１０は、合成樹脂材料からなり、前面が開口する矩形箱状に形成されたボディ１０１と。合成樹脂材料によって後面が開口する矩形箱状に形成されてボディ１０１の前面開口を塞ぐように当該ボディ１０１と結合されるカバー１０２とから構成される。
【００４５】
ボディ１０１は、図１０に示すように、前面が開口する矩形箱状に形成され、上下方向略中央には、当該ボディ１０１内を上下に２分する隔壁１０１ａが形成され、当該隔壁１０１ａを挟んで２つの収納室１０４が設けられる。そして、各収納室１０４には、端子装置２０がそれぞれ収納される。
【００４６】
また、図１１に示すように、ボディ１０１の後面において各収納室１０４に対応する箇所には、当該収納室１０４に連通して外部から電線３０が挿入される一対の電線挿入孔１０１ｂが左右方向に並設される。すなわち、本実施形態における配線器具は、送り配線用を含めて最多で４本の電線が接続可能となっている。
【００４７】
また、図８、１１に示すように、ボディ１０１の上面（上側側面）には、左右方向に一対の検電孔１０１ｄが形成されている。ここで、検電孔１０１ｄは、後述する接触部２１３に対向する位置に形成される。
【００４８】
カバー１０２は、前面に上下方向に沿って一対のプラグ挿入孔（機能部）１０２ａが形成され、更に、カバー１０２内には、内側からプラグ挿入孔１０２ａを塞ぐ開閉扉１０９が設けられている。なお、開閉扉１０９は、プラグ挿入孔１０２ａにコセントプラグが挿し込まれることで開き、コンセントプラグが引き抜かれることで閉じるものとなっている。つまり、カバー１０２の前面が機能面Ｓとして働く。また、カバー１０２の前面略中央からは、当該カバー１０２内を上下に２分すると共に、先端部がボディ１０１の隔壁１０１ａに当接し、当該隔壁１０１ａと共に器体１０内を上下に二分する隔壁１０２ｄが形成されている。なお、本実施形態では、機能面Ｓにプラグ挿入孔１０２ａが形成されたコンセント装置を記載しているが、配線器具の種類はコンセント装置に限定されず、例えば機能面にスイッチを有したスイッチ装置や人感センサ等であってもよい。
【００４９】
次に、ボディ１０１とカバー１０２を結合して器体１０を組み立てる構造について説明する。本実施形態においては、ボディ１０１とカバー１０２との双方に設けた嵌合部１０１ｅ、１０２ｆに係合部材１０３を凹凸嵌合することでボディ１０１とカバー１０２とを結合して器体１０を組み立てるようになっている。
【００５０】
端子装置２０は、図８に示すように、端子板２１と、電線挿入孔１０１ｂより挿入される電線３０を径方向から端子板２１に接触させるとともに電線３０の抜け止めを行う錠ばね２２と、電線３０の接続状態を解除するための解除レバー２３とを備えている。
【００５１】
端子板２１は、図１２に示すように、金属からなり、略矩形板状のベース板２１１と、ベース板２１１の左右両端から各々垂設される一対の対向壁２１２と、対向壁２１２の先端が左右方向外側へ折曲されてなる接触部２１３と、刃受け部２１４とから構成される。
【００５２】
刃受け部２１４は、ベース板２１１の前端から延設される平型栓刃用の刃受け部２１５と、一対の対向壁２１２の前端から各々延設される丸型栓刃用の刃受け部２１６とを備えている。
【００５３】
そして、端子板２１は、図１３に示すように、２つの収納室１０４にそれぞれ配設され、ベース板２１１を隔壁１０１ａに当接させた状態で配置され、接触部２１３がボディ１０１の側面に当接する。ここで、上側の収納室１０４に配設された端子板２１は、接触部２１３がボディ１０１の上側側面に当接し、下側の収納室１０４に配設された端子板２１は、接触部２１３がボディ１０１の下側側面に当接する。
【００５４】
そして、上記のように収納室１０４に配設された端子板２１の接触部２１３は、ボディ１０１の上面に形成された検電孔１０１ｄから外部に露出する。
【００５５】
鎖錠ばね２２は、図８に示すように、弾性を有する導電性の板材（例えば、金属板）を折曲してなり、端子板２１における対向壁２１２と接触部２１３とに対向して配置される。つまり、鎖錠ばね２２は、１つの端子板２１に対して２つ設けられる。
【００５６】
そして、鎖錠ばね２２は、ばね性を有して一端が端子板２１の接触部２１３を押圧する断面略Ｓ字状の押圧部２２１と、押圧部２２１よりも後方で一端が接触部２１３に当接する鎖錠部２２２と、押圧部２２１の他端及び鎖錠部２２２の他端を連結する連結部２２３とからなる。
【００５７】
そして、鎖錠部２２２は、連結部２２３と一体に断面略Ｖ字状に形成されてばね性を有し、電線３０の挿入方向へ向かうに従って接触部２１３側へ傾斜し、電線３０を接触部２１３側へ押圧すると共に、電線３０に食い込んで抜け止めを行う。
【００５８】
また、押圧部２２１の一端は、接触部２１３の下面に当接すると共に当該接触部２１３を介して検電孔１０１ｄに対向している。つまり、接触部２１３の下面に押圧部２２１が当接し、接触部２１３の上面が検電孔１０１ｄを介して外部に露出している。なお、本実施形態では、端子板２１の接触部２１３が、検電孔１０１ｄを通じて外部に露出しているが実施の形態はこれに限定されず、鎖錠ばね２２の一部も検電孔１０１ｄを通じて外部に露出していてもよい。
【００５９】
解除レバー２３は、図１３に示すように、合成樹脂材料から略直方体状に形成されて後面がボディ１０１の底面に当接した状態で配設される。そして、解除レバー２３は、後面に突片２３１が突設され、当該突片２３１がボディ１０１の後面に形成される貫通孔１０１ｃ内に突出する（図１３参照）。また、解除レバー２３の前面に左右方向に一対の押圧突片２３２が形成され、各押圧突片２３２は、鎖錠ばね２２の鎖錠部２２２に後方から当接する。
【００６０】
また、速結端子装置を構成する端子装置２０（端子板２１及び鎖錠ばね２２）は、カバー１０２の前面から後方へ向けて突設されるリブ１０２ｂ、１０２ｃにより前方への移動が規制されている。
【００６１】
以下、端子板２と電線Ｂとの接続方法について説明する。先ず、電線３０の先端部の被覆を剥がして露出させた芯線３０ａを電線挿入孔１０１ｂを介して器体１０内部に挿入する。この時、芯線３０ａの先端部が、鎖錠ばね２２の鎖錠部２２２を押圧することで鎖錠部２２２が連結部２２３に向かう方向に撓み、芯線３０ａが挿入方向に更に挿入可能となる。芯線３０ａを更に挿入すると、芯線３０ａの先端部が押圧部２２１を押圧することで押圧部２２１が連結部２２３に向かう方向に撓み、芯線３０ａが、押圧部２２１と端子板２１の接触部２１３との間で挟持される。これにより、電線３０が端子板２１と機械的且つ電気的に接続される。
【００６２】
ここで、押圧部２２１は、ばね性を有していることから、接触部２１３に向かう方向に復元力が働き、芯線３０ａは押圧部２２１の押圧力によって接触部２１３に所定の圧で接触する。また、芯線３０ａを引き抜こうとすると、鎖錠部２２２が芯線３０ａに食い込むことで芯線３０ａが抜け止めされるので、電線３０と端子板２１との接続を容易に解除できないようになっている。
【００６３】
また、電線３０と端子板２１との接続を解除する際には、器体１０の貫通孔１０１ｃを介して解除レバー２３の突片２３１を押圧する。これにより、解除レバー２３が前方へ移動し、当該解除レバー２３における押圧突片２３２が、鎖錠ばね２２の鎖錠部２２２を接触部２１３側へ撓ませる。これにより、電線３０に対する抜け止めが解除され、当該電線３０を器体１０内から容易に引き抜くことが可能となる。
【００６４】
上記構成からなる本実施形態の配線器具では、器体１０に収納された端子装置２０の端子板２１が、器体（ボディ１０１）１０に形成された検電孔１０１ｄから、外部に露出している。そのため、例えば検電ドライバ等の検査器具を検電孔１０１ｄに挿し込むことで、検電を容易に行うことができる。なお、本実施形態では、検電孔１０１ｄが、器体１０の側面（図８における上面）に形成されているが、検電孔１０１ｄの位置はこれに限定されず、器体１０におけるその他の面（例えば、前面や後面）等に形成されていてもよい。ここで、検電孔１０１ｄは、器体１０において後方側に形成されることがより好ましい。
【００６５】
また、本実施形態では、一対の検電孔１０１ｄが、ボディ１０１の上面にのみ形成されているが、上面と下面との両方に形成されていてもよい。
【００６６】
従って、本実施形態の配線器具では、電線の接続作業を容易に行うことができると共に、容易に検電を行うことができる。
【００６７】
また、接触部２１３の下面に押圧部２２１が当接し、接触部２１３の上面が検電孔１０１ｄを介して外部に露出していることから、導電部である端子板２１（接触部２１３）に検電ドライバが直接接触し、より正確に検電を行うことができる。
【符号の説明】
【００６８】
２４  端子板
２５  鎖錠ばね
２６  解除レバー
４０  端子装置
１０６  器体
１０７  ボディ
１０７ｂ  電線挿入孔
１０７ｃ  検電孔
１０８  カバー
１０９  開閉扉
１０８ｂ  プラグ挿入孔
【図１】
0005821003.tif 000002
【図２】
0005821003.tif 000003
【図３】
0005821003.tif 000004
【図４】
0005821003.tif 000005
【図５】
0005821003.tif 000006
【図６】
0005821003.tif 000007
【図７】
0005821003.tif 000008
【図８】
0005821003.tif 000009
【図９】
0005821003.tif 000010
【図１０】
0005821003.tif 000011
【図１１】
0005821003.tif 000012
【図１２】
0005821003.tif 000013
【図１３】
0005821003.tif 000014